(57)【要約】【課題】  三相変圧器を三相交流系統に投入する際に生じ得る励磁突入電流を効果的に抑制する高速動作可能な三相変圧器投入方法および装置を実現する。【解決手段】  三相変圧器投入装置１は、三相変圧器２の入力側の三相のうち二相にそれぞれ設けられるスイッチＳＷ１およびＳＷ２と、スイッチＳＷ１およびＳＷ２が設けられている二相と、三相のうち残りの一相と、の間に生じる三相交流系統側の２つの線間電圧Ｖ１およびＶ２のうちのいずれかの振幅が最大となる第１のタイミング、および、第１のタイミング以降に当該線間電圧がゼロとなる第２のタイミングを検知する検知手段１１と、第１のタイミングが検知された線間電圧を生ずる相に設けられているスイッチを第１のタイミングで投入し、残りのスイッチを第２のタイミングで投入する制御手段１２と、を備える。【選択図】      図１
2005192318.tif 000002
【特許請求の範囲】
【請求項１】
三相変圧器を三相交流系統に投入する三相変圧器投入方法であって、
前記三相変圧器の入力側との間にスイッチがそれぞれ設けられている前記三相交流系統の二相と、前記三相交流系統の他の一相と、の間に生じる２つの線間電圧のうちいずれかの振幅が最大となる第１のタイミングで、当該線間電圧を生ずる相に設けられている前記スイッチを投入し、前記第１のタイミング以降に当該線間電圧がゼロとなる第２のタイミングで、残りの前記スイッチを投入することを特徴とする三相変圧器投入方法。
【請求項２】
三相変圧器を三相交流系統に投入する三相変圧器投入方法であって、
前記三相変圧器の入力側との間にスイッチがそれぞれ設けられている前記三相交流系統の各線間電圧のうちいずれか１つの線間電圧の振幅が最大となる第１のタイミングで、当該線間電圧を生ずる二相に設けられている各前記スイッチを投入し、前記第１のタイミング以降に当該線間電圧がゼロとなる第２のタイミングで、残りの前記スイッチを投入することを特徴とする三相変圧器投入方法。
【請求項３】
三相変圧器を三相交流系統に投入する三相変圧器投入方法であって、
前記三相変圧器の入力側の各相に設けられているスイッチにおいて、予め一相の前記スイッチを投入し、予め投入された前記スイッチが設けられている一相と、前記三相変圧器の入力側との間の未投入の前記スイッチが設けられている前記三相交流系統の二相と、の間に生じる２つの線間電圧のいずれかの振幅が最大となる第１のタイミングで、当該線間電圧を生ずる相に設けられている前記スイッチを投入し、前記第１のタイミング以降に当該線間電圧がゼロとなる第２のタイミングで、残りの前記スイッチを投入することを特徴とする三相変圧器投入方法。
【請求項４】
三相変圧器を三相交流系統に投入する三相変圧器投入装置であって、
前記三相変圧器の入力側の三相のうち二相にそれぞれ設けられるスイッチと、
前記三相のうち前記スイッチが設けられている二相と残りの一相との間に生じる前記三相交流系統側の２つの線間電圧のうちのいずれかの振幅が最大となる第１のタイミング、および、該第１のタイミング以降に当該線間電圧がゼロとなる第２のタイミングを検知する検知手段と、
前記第１のタイミングが検知された線間電圧を生ずる相に設けられている前記スイッチを前記第１のタイミングで投入し、残りの前記スイッチを前記第２のタイミングで投入する制御手段と、
を備えることを特徴とする三相変圧器投入装置。
【請求項５】
三相変圧器を三相交流系統に投入する三相変圧器投入装置であって、
前記三相変圧器の入力側の各相にそれぞれ設けられるスイッチと、
前記三相交流系統の各線間電圧のうちのいずれか１つの振幅が最大となる第１のタイミング、および、該第１のタイミング以降に当該線間電圧がゼロとなる第２のタイミングを検知する検知手段と、
前記第１のタイミングが検知された線間電圧を生ずる二相に設けられている各前記スイッチを前記第１のタイミングで投入し、残りの前記スイッチを前記第２のタイミングで投入する制御手段と、
を備えることを特徴とする三相変圧器投入装置。
【請求項６】
三相変圧器を三相交流系統に投入する三相変圧器投入装置であって、
前記三相変圧器の入力側の各相にそれぞれ設けられるスイッチと、
予め投入された前記スイッチが設けられている一相と、未投入の前記スイッチが設けられている二相と、の間に生じる２つの線間電圧のうちいずれかの振幅が最大となる第１のタイミング、および、該第１のタイミング以降に当該線間電圧がゼロとなる第２のタイミングを検知する検知手段と、
前記第１のタイミングが検知された線間電圧を生ずる相に設けられている各前記スイッチを前記第１のタイミングで投入し、残りの前記スイッチを前記第２のタイミングで投入する制御手段と、
を備えることを特徴とする三相変圧器投入装置。
【発明の詳細な説明】
【技術分野】
【０００１】
本発明は、三相変圧器を三相交流系統に投入する三相変圧器投入方法および装置に関する。
【背景技術】
【０００２】
三相変圧器を三相交流系統に投入する際、変圧器鉄心の残留磁束と投入位相により変圧器鉄心が磁気飽和し、インダクタンス成分が低下するため、三相交流系統から三相変圧器へ過大な励磁突入電流が流れる。励磁突入電流は、変圧器巻線や電路被覆等の焼損、導線の溶着等が生じ、また、一次側電路にヒューズがある場合にはヒューズの溶断、漏電ブレーカや電流遮断器等がある場合にはそれらの誤動作が生じる問題がある。
【０００３】
従来より、励磁突入電流を低減する手段がいくつか提案されていた。
例えば、三相変圧器への電源投入時に磁気飽和を生じないように、変圧器鉄心を増加する方法がある。
【０００４】
あるいは、減流抵抗器を介して三相変圧器を励磁し、変圧器鉄心の磁束が安定した後に減流抵抗器をスイッチで短絡除去する方法が提案されている（例えば、特許文献１参照）。
この他にも、三相変圧器の残留磁束を推定し、これに合わせて投入する方法（例えば、特許文献２参照）、各相の電圧条件から各相のスイッチを所定の時刻遅らせて投入する方法（例えば、特許文献３参照）などが提案されている。
【０００５】
【特許文献１】特開平１１−２２５４３２号公報
【特許文献２】特開２００１−２１８３５４号公報
【特許文献３】特開２００２−２６０４７６号公報
【発明の開示】
【発明が解決しようとする課題】
【０００６】
上述の変圧器鉄心を増加する方法は、磁気飽和を完全に回避するためには変圧器鉄心の断面積を増加する必要があり、結果として変圧器の容量および重量増加を招くという問題がある。
【０００７】
また、上記特許文献１に記載された従来例では、減流抵抗器の短絡除去時に二次突入電流を生じる問題がある。
【０００８】
また、上記特許文献２もしくは３による従来例でも、励磁突入電流を完全に抑制することはできない問題がある。
【０００９】
従って本発明の目的は、上記問題に鑑み、三相変圧器を三相交流系統に投入する際に生じ得る励磁突入電流を効果的に抑制する高速動作可能な三相変圧器投入方法および装置を提供することにある。
【課題を解決するための手段】
【００１０】
上記目的を実現するために、本発明においては、三相変圧器を三相交流系統に投入しようとする際は、まず、三相交流系統側の三相のうち二相に生じる線間電圧が最大となるタイミングで当該二相を三相交流系統に投入し、次いで、当該線間電圧がゼロとなるタイミングで残りの未投入の相を三相交流系統に投入する。
【００１１】
ここで、本発明の基本原理について説明する。
単相変圧器については単相系統側の線間電圧が最大となる時刻で単相電源を投入すれば、励磁突入電流が発生しないことが従来から知られているが、本発明はこの考え方を発展させたものである。三相変圧器の場合は、三相交流系統側の三相全てが同時に最大となる時刻は存在しないので、上述の単相変圧器の場合のような投入方法を単純に適用することができないので次のような特徴的な手法をとる。
【００１２】
本発明は、三相変圧器の入力側（すなわち１次側）の三相のうちの二相のみにまず着目し、この二相の線間電圧が最大となるタイミングで電源を投入することを第１の特徴とする。すなわち、三相のうち二相の端子間のみへの交流電圧を印加することは、上述のように単相変圧器を投入することと言わば同様の操作であり、したがって、このタイミングで三相変圧器の三相のうち二相を投入すれば励磁突入電流は発生しない。
【００１３】
また、上記二相の投入後１／４周期が経過すると当該線間電圧はゼロとなるが、このタイミングでは、三相変圧器に発生する磁束のうち交流電圧を印加した端子間の巻線に発生する磁束は最大の磁束振幅となり、他の２巻線の磁束は上記最大磁束振幅の１／２となる。この各磁束の状態は、三相交流で三相変圧器を励磁しているときの一定常状態と同じである。本発明は、このタイミングで残りの未投入の一相について電源を投入することを第２の特徴とする。すなわち、上記二相の投入後、当該線間電圧はゼロとなるタイミングで、残りの未投入の一相について電源を投入すれば、三相交流励磁における定常状態にスムースに移行させることができるので、励磁突入電流は発生しない。
【発明の効果】
【００１４】
本発明によれば、三相変圧器を三相交流系統に投入する際、励磁突入電流を発生させずに高速に投入することができる。本発明による三相変圧器投入装置は、構成がシンプルであり、製造容易であるので低コストである。
【００１５】
特に、変圧器投入用スイッチについては、従来例では励磁突入電流の発生を考慮した電流定格の大きいスイッチを用いる必要があったが、本発明では従来よりも電流定格の小さいスイッチでよく、その分コストを抑えることができる。
また、本発明によれば励磁突入電流が発生しないので、変圧器巻線や電路被覆等の焼損、導線の溶着等を防止することができ、また、一次側電路にヒューズがある場合でもヒューズの溶断を防止することができる。また、従来例のように磁気飽和を生じないようにするために変圧器鉄心を増加させる必要がなく、その結果、三相変圧器を小型化することができる。
【００１６】
また、従来、三相変圧器を含む電力系統では、過大電流が発生しても、この過大電流が三相変圧器の投入により発生した励磁突入電流なのかあるいは系統事故により発生した異常電流なのかの区別は困難であり、漏電ブレーカや電流遮断器等の誤動作も生じていた。このため、従来は過大電流検知装置については検知に許容誤差を設けていた。しかし、本発明を適用すれば、励磁突入電流の発生がないので、漏電ブレーカや電流遮断器等の誤動作を防止することができ、また、過大電流検知装置の上記許容誤差を小さくすることができる。
【発明を実施するための最良の形態】
【００１７】
図１は、本発明の実施例による三相変圧器投入装置を示す基本構成図である。以降、異なる図面において同じ参照番号が付されたものは同じ構成要素であることを意味するものとする。なお、この図において、三相変圧器２は１次側巻線のみを示しており、２次側巻線については省略する。図２は、図１に示す三相変圧器投入装置の動作を説明する波形図であり、（ａ）は、ｖ相とｕ相との間の線間電圧Ｖ１、（ｂ）はｕ−ｗ巻線間に生ずる磁束、（ｃ）はｗ−ｖ巻線間に生ずる磁束、および（ｄ）はｖ−ｕ巻線間に生ずる磁束を例示する。
【００１８】
三相変圧器２を三相交流系統３に投入する三相変圧器投入装置１は、三相変圧器２の入力側の三相のうち二相にそれぞれ設けられるスイッチＳＷ１およびＳＷ２と、スイッチＳＷ１およびＳＷ２が設けられている二相と、三相のうち残りの一相と、の間に生じる三相交流系統側の２つの線間電圧Ｖ１およびＶ２のうちのいずれかの振幅が最大となる第１のタイミング、および、第１のタイミング以降に当該線間電圧がゼロとなる第２のタイミングを検知する検知手段１１と、第１のタイミングが検知された線間電圧を生ずる相に設けられているスイッチを第１のタイミングで投入し、残りのスイッチを第２のタイミングで投入する制御手段１２と、を備える。
【００１９】
すなわち、図１に示す本発明の実施例では、スイッチＳＷ１が三相変圧器２の入力側のｕ相に、スイッチＳＷ２が三相変圧器２の入力側のｖ相にそれぞれ設けられる。三相変圧器２の入力側のｗ相にはスイッチは設けられない。各スイッチＳＷ１およびＳＷ２は、半導体スイッチ、機械式スイッチ、あるいは、半導体スイッチと機械式スイッチとの並列接続、のいずれかで構成するが、本実施例では、各スイッチＳＷ１およびＳＷ２をＭＯＳＦＥＴを用いた半導体スイッチで構成する。なお、半導体スイッチと機械式スイッチとの並列接続で構成する場合は、スイッチＳＷ１およびＳＷ２の投入時には半導体スイッチと機械式スイッチとを同時に動作させてもよい。あるいは、半導体スイッチは機械式スイッチに比べて高速動作が可能である一方導通損失が大きいという性質を考慮し、例えば、第１のタイミングおよび第２のタイミングでは各スイッチＳＷ１およびＳＷ２の半導体スイッチのみを投入し、定常状態後に機械式スイッチを一括投入してもよい。
【００２０】
検知手段１１は、三相交流系統３のうち、スイッチの設けられていないｗ相を基準として、スイッチがそれぞれ設けられているｕ相およびｖ相の各線間電圧Ｖ１およびＶ２を監視し、線間電圧Ｖ１およびＶ２のうちいずれかの振幅が最大となる第１のタイミングを検知する。そして、検知手段１１は、第１のタイミングを検知した後、第１のタイミングの検知に用いた線間電圧の振幅がゼロとなる第２のタイミングを検知する。なお、第２のタイミングは、第１のタイミング以降に検知されるものであればいつでもよいが、第１のタイミング検知直後のもの、すなわち、第１のタイミングから１／４周期後に検知されるものであれば、三相変圧器の高速投入を可能とするので好ましい。
【００２１】
線間電圧が最大となる第１のタイミングの検知は、公知の方法および装置で実現可能である。例えば、振幅値の微分値の符号が反転するタイミングを検知したり、あるいは、三相のうち二相の振幅値が一致した時は残りの一相が最大となっているのでこのタイミングを検知したりすればよい。またあるいは、三相交流系統側の周期を監視して最大となるタイミングを推測するようにしてもよい。一方、線間電圧がゼロとなる第２のタイミングの検知についても、ゼロクロスポイントの検知など、公知の方法および装置で実現可能である。あるいは、三相交流系統側の周期を監視してゼロクロスのタイミングを推測するようにしてもよい。
【００２２】
なお、線間電圧が最大となる第１のタイミングおよびゼロとなる第２のタイミングは、理想的には厳密に検知することが好ましいが、実際の検知の際に生じ得る誤差を考慮し、ある程度の許容範囲を持たせてもよい。多少の三相不平衡があっても問題なく機能する。
【００２３】
上述の第１のタイミングおよび第２のタイミングの検知に用いる線間電圧は、三相変圧器の入力側との間に未投入のスイッチがそれぞれ設けられている三相交流系統の二相と、三相交流系統の他の一相と、の間に生じる２つの線間電圧のうちのいずれかであればよい。より具体的には、これら２つの線間電圧を監視してもよいし、どちらか一方のみの線間電圧を監視するようにしてもよい。例えば、２つの線間電圧を監視し、これら２つの線間電圧の中から最先の第１のタイミングを検知するならば、三相変圧器の高速投入の実現に効果的である。
【００２４】
制御手段１２は、上述の第１のタイミングおよび第２のタイミングに同期してスイッチＳＷ１およびＳＷ２の投入を制御する。すなわち、第１のタイミングが検知された線間電圧を生ずる相に設けられたスイッチをこの第１のタイミングで投入し、残りのスイッチは第２のタイミングで投入する。
【００２５】
なお、本実施例では、上述の検知手段１１および制御手段１２は、例えばマイクロプロセッサを用いて構成するが、論理素子等の組合せ回路で構成してもよい。
【００２６】
図１の回路においてｕ相とｗ相との間に生じる線間電圧Ｖ１の波形を図２（ａ）に示す。
【００２７】
図１の検知手段１１は、線間電圧Ｖ１の振幅が最大となる第１のタイミングを検知する。このとき、２つのスイッチＳＷ１およびＳＷ２のうち、振幅が最大となった線間電圧Ｖ１を生ずる相に設けられたスイッチはＳＷ１であるので、この第１のタイミングで、スイッチＳＷ１を投入する。線間電圧Ｖ１を生じるｕ相および２相に着目すれば、スイッチＳＷ１の投入は、単相変圧器を系統側の線間電圧の振幅が最大のときに投入したことと同じであるので、励磁突入電流は発生しない。
【００２８】
上記第１のタイミングから１／４周期経過後、検知手段１１は、線間電圧Ｖ１の振幅がゼロとなる第２のタイミングを検知する。このとき、図２（ｂ）に示すようにｕ−ｗ巻線間に生ずる磁束は最大振幅となり、また、図２（ｃ）および（ｄ）に示すように、ｗ−ｖ巻線間に生ずる磁束、およびｖ−ｕ巻線間に生ずる磁束は最大振幅の１／２となっている。したがって、この第２のタイミングで、未投入のスイッチＳＷ２を投入する。この結果、三相交流励磁における定常状態にスムースに移行させることができるので、励磁突入電流は発生しない。
【００２９】
続いて、本発明の実施例をシミュレーションを用いて検証する。
図３は、本発明の実施例のシミュレーションに用いた回路図（その１）である。このシミュレーションでは、Δ結線型の三相変圧器を用いた。シミュレーションでは、三相交流電源３を２３０ｋＶ、５０Ｈｚの三相交流とした。また、三相変圧器２は２３０ｋＶ、１ＭＶＡ、５０Ｈｚとし、漏れインダクタンスを０．１ｐｕ、飽和電圧を１．２５ｐｕ、飽和時リアクタンスを０．２ｐｕとした。
【００３０】
図４は、図３の回路によるシミュレーション結果を示す波形図である。このうち、図４（ａ）〜（ｃ）は従来例による三相変圧器の三相一括投入での各波形を示しており、図４（ａ）は相電圧の波形、図４（ｂ）は鎖交磁束の波形、図４（ｃ）は励磁電流の波形を示す。また、図４（ｄ）〜（ｆ）は図３の本発明の実施例による三相変圧器投入方法を用いた場合の各波形を示しており、図４（ｄ）は相電圧の波形、図４（ｅ）は鎖交磁束の波形、図４（ｆ）は励磁電流の波形を示す。
【００３１】
三相変圧器を、例えば時刻４７ｍｓで三相一括投入すると、図４（ｂ）に示すように鎖交磁束は大きく変動し、磁束が飽和するので、図４（ｃ）に示すように過大な励磁突入電流が発生する。
【００３２】
これに対し、本実施例によれば、まず、時刻４７ｍｓでｗ相とｖ相とで生じる線間電圧が最大となったので、これを上述の第１のタイミングとしてＳＷ２を投入する。このとき、図４（ｆ）に示すように励磁突入電流は発生しない。次いで、第１のタイミングの１／４周期後である時刻５２ｍｓでｗ相とｖ相とで生じる線間電圧がゼロとなったので、これを上述の第２のタイミングとしてＳＷ１を投入する。このとき、図４（ｅ）に示すように三相交流励磁における定常状態にスムースに移行させることができるので、図４（ｆ）に示すように励磁突入電流は発生しない。
【００３３】
このように、本実施例によれば励磁突入電流を発生させずにΔ結線型の三相変圧器を三相交流系統に投入できることがシミュレーションで示された。
【００３４】
図５は、本発明の実施例のシミュレーションに用いた回路図（その２）である。このシミュレーションでは、Ｙ結線型の三相変圧器を用いた。シミュレーションに用いた各パラメータは図３の場合を同様である。
【００３５】
図６は、図５の回路によるシミュレーション結果を示す波形図である。このうち、図６（ａ）〜（ｃ）は従来例による三相変圧器の三相一括投入での各波形を示しており、図６（ａ）は相電圧の波形、図６（ｂ）は鎖交磁束の波形、図６（ｃ）は励磁電流の波形を示す。また、図６（ｄ）〜（ｆ）は図５の本発明の実施例による三相変圧器投入方法を用いた場合の各波形を示しており、図６（ｄ）は相電圧の波形、図６（ｅ）は鎖交磁束の波形、図６（ｆ）は励磁電流の波形を示す。
【００３６】
三相変圧器を、例えば時刻４７ｍｓで三相一括投入すると、図６（ｂ）に示すように鎖交磁束は大きく変動し、磁束が飽和するので、図６（ｃ）に示すように過大な励磁突入電流が発生する。
【００３７】
これに対し、本実施例によれば、まず、時刻４７ｍｓでｗ相とｖ相とで生じる線間電圧が最大となったので、これを上述の第１のタイミングとしてＳＷ２を投入する。このとき、図６（ｆ）に示すように励磁突入電流は発生しない。次いで、第１のタイミングの１／４周期後である時刻５２ｍｓでｗ相とｖ相とで生じる線間電圧がゼロとなったので、これを上述の第２のタイミングとしてＳＷ１を投入する。このとき、図６（ｅ）に示すように三相交流励磁における定常状態にスムースに移行させることができるので、図６（ｆ）に示すように励磁突入電流は発生しない。
【００３８】
このように、本実施例によれば励磁突入電流を発生させずにＹ結線型の三相変圧器を三相交流系統に投入できることがシミュレーションで示された。
【００３９】
続いて、本発明の実施例の変形例について説明する。
図７は、本発明の実施例の変形例による三相変圧器投入装置を示す基本構成図である。
【００４０】
本変形例は、上述の実施例において、三相全てにスイッチを設けたものである。上述の実施例では、三相のうち一相は系統側と常に接続されている状態にあるので、三相変圧器投入前であってもこの相については対地との短絡事故や感電事故の危険性が存在する。本変形例はこの危険性を回避するものであって、三相全てにスイッチを設けることによって、上述の本発明の機能に加え、開閉器の機能をも併せ持つようにしたものである。本変形例では、以下に説明する２種類のスイッチング方法が考えられる。
【００４１】
第１の方法では、図７の検知手段１１は、三相交流系統３の各線間電圧Ｖ１、Ｖ２およびＶ３を監視し、線間電圧Ｖ１、Ｖ２およびＶ３のうちいずれか１つの振幅が最大となる第１のタイミングを検知する。そして、検知手段１１は、上述の実施例と同様に、第１のタイミングを検知した後は、第１のタイミングの検知に用いた線間電圧の振幅がゼロとなる第２のタイミングを検知する。
【００４２】
制御手段１２は、上述の第１のタイミングおよび第２のタイミングに同期してスイッチＳＷ１、ＳＷ２およびＳＷ３の投入を制御する。すなわち、第１のタイミングが検知された線間電圧を生ずる二相に設けられた２つのスイッチをこの第１のタイミングで投入し、残りのスイッチは第２のタイミングで投入する。これにより得られる効果は、上述した実施例の場合と同様である。
【００４３】
第２の方法では、三相変圧器を三相交流系統に投入する際は、まず、あるスイッチを予め投入する。なお、このスイッチの投入だけでは、まだ回路系が構成されていないので電流が流れることはない。
【００４４】
検知手段１１は、予め投入されたスイッチが設けられている一相を基準として、未投入のスイッチがそれぞれ設けられている二相の各線間電圧を監視し、これら線間電圧のうちいずれかの振幅が最大となる第１のタイミングを検知する。そして、検知手段１１は、上述の実施例と同様に、第１のタイミングを検知した後は、第１のタイミングが検知された線間電圧の振幅が、第１のタイミング以降にゼロとなる第２のタイミングを検知する。
【００４５】
制御手段１２は、上述の第１のタイミングおよび第２のタイミングに同期して未投入の２つのスイッチの投入を制御する。すなわち、第１のタイミングが検知された線間電圧を生ずる相に設けられたスイッチをこの第１のタイミングで投入し、残りのスイッチは第２のタイミングで投入する。これにより得られる効果は、上述した実施例の場合と同様である。
【００４６】
本変形例では、三相変圧器の三相交流系統への投入前は、三相変圧器の入力側に設けられた３つのスイッチによって完全に絶縁されるので、短絡事故や感電事故の危険性がなくなる。
【産業上の利用可能性】
【００４７】
電力系統に接続される三相変圧器や、励磁突入電流の発生を特に回避すべき医療機器や精密機器等付近に接続される三相変圧器の励磁突入電流対策に有効である。また、ＥＭＩ対策に有効である。さらに本発明は、三相変圧器の小型化を促進するものでもあり、例えばビル内に設けられる三相変圧器の小型化に寄与する。
【図面の簡単な説明】
【００４８】
【図１】本発明の実施例による三相変圧器投入装置を示す基本構成図である。
【図２】図１に示す三相変圧器投入装置の動作を説明する波形図であり、（ａ）は、ｖ相とｕ相との間の線間電圧Ｖ１、（ｂ）はｕ−ｗ巻線間に生ずる磁束、（ｃ）はｗ−ｖ巻線間に生ずる磁束、および（ｄ）はｖ−ｕ巻線間に生ずる磁束を例示する。
【図３】本発明の実施例のシミュレーションに用いた回路図（その１）である。
【図４】図３の回路によるシミュレーション結果を示す波形図である。
【図５】本発明の実施例のシミュレーションに用いた回路図（その２）である。
【図６】図５の回路によるシミュレーション結果を示す波形図である。
【図７】本発明の実施例の変形例による三相変圧器投入装置を示す基本構成図である。
【符号の説明】
【００４９】
１…三相変圧器投入装置
２…三相変圧器
３…三相交流系統
１１…検知手段
１２…制御手段
ＳＷ１、ＳＷ２、ＳＷ３…スイッチ
ｖｓ…三相交流電源
【図１】
2005192318.tif 000003
【図２】
2005192318.tif 000004
【図３】
2005192318.tif 000005
【図４】
2005192318.tif 000006
【図５】
2005192318.tif 000007
【図６】
2005192318.tif 000008
【図７】
2005192318.tif 000009